(57)【要約】【課題】林野や草地などの傾斜した地表面を流下する放射能汚染水の浄化排水構造を提供する。【解決手段】第一発明の係る浄化排水構造は、放射能汚染水が流下する傾斜地面１の下流側箇所１ａに、遮水兼排水材２によって、下流側箇所１ａから立ち上がる立壁２ａと下流側箇所１ａに埋められる底壁２ｂを一体に設け、立壁２ａの傾斜地面側の側面から底壁２ｂの上面に亘って透水性のセシウム吸着シート４を添設した構造とする。第二発明の浄化排水構造は、傾斜地面１の下流側箇所１ａに遮水材１０を設け、遮水材１０の傾斜地面側にセシウム吸着シート４で被覆した排水材１１を埋設した構造とする。遮水兼排水材２や遮水材１０で流下する放射能汚染水を遮断し、セシウム吸着シート４を透過するときに放射性セシウムを吸着除去し、浄化した水を立壁２ａの上面側や排水材１１に流して排水する。【選択図】図２
2014071086.tif 000002
【特許請求の範囲】
【請求項１】
放射能汚染水が流下する傾斜地面の下流側箇所に、遮水兼排水材によって、該下流側箇所から立ち上がる立壁と該下流側箇所に埋められる底壁を一体に設け、立壁の傾斜地面側の側面から底壁の上面に亘って透水性のセシウム吸着シートを添設したことを特徴とする、放射能汚染水の浄化排水構造。
【請求項２】
遮水兼排水材によって一体に設けられた立壁及び底壁とセシウム吸着シートとの間、又は／及び、セシウム吸着シートの傾斜地面側の側面から上面に亘って、合成樹脂製の不織布もしくはネットを設けたことを特徴とする、請求項１に記載の放射能汚染水の浄化排水構造。
【請求項３】
傾斜地面の下流側箇所に複数の杭を打ち込み、下流側箇所から立ち上がる立壁をこれらの杭に固定したことを特徴とする請求項１又は請求項２に記載の放射能汚染水の浄化排水構造。
【請求項４】
遮水兼排水材が、少なくとも片面に多数の凸部を形成した合成樹脂製のエンボスシートであることを特徴とする、請求項１ないし請求項３のいずれに記載の放射能汚染水の浄化排水構造。
【請求項５】
セシウム吸着シートが、ゼオライト、ベントナイト、プルシアンブルーのいずれかを保持したシートであることを特徴とする、請求項１ないし請求項４のいずれかに記載の放射能汚染水の浄化排水構造。
【請求項６】
放射能汚染水が流下する傾斜地面の下流側箇所に、放射能汚染水の流下を遮断する遮水材を設け、遮水材の傾斜地面側に、透水性のセシウム吸着シートで被覆した排水材を埋設したことを特徴とする放射能汚染水の浄化排水構造。
【請求項７】
傾斜地面の下流側箇所に複数の杭を打ち込み、これらの杭に遮水材を固定したことを特徴とする、請求項６に記載の放射能汚染水の浄化排水構造。
【請求項８】
排水材が管壁に多数の流入部を有する排水管であることを特徴とする、請求項６又は請求項７に記載の放射能汚染水の浄化排水構造。
【請求項９】
セシウム吸着シートが、ゼオライト、ベントナイト、プルシアンブルーのいずれかを保持したシートであることを特徴とする、請求項６ないし請求項８いずれかに記載の放射能汚染水の浄化排水構造。
【発明の詳細な説明】
【技術分野】
【０００１】
本発明は、セシウム等の放射性物質を含んで林野や草地の傾斜した地表面を流下する放射能汚染水の浄化排水構造に関する。
【背景技術】
【０００２】
福島第一原子力発電所の事故に由来する放射性物質は、周辺のみならず遠方の林野や草地にも大量に蓄積されている。このように蓄積された放射性物質は降雨によって洗い出され、放射性物質を含んだ放射能汚染水が林野や草地の傾斜した地表面を流下したり、地中に浸透して、最終的に河川に流れ込むため、河川における放射線量が一時的に上昇するという現象が起きている。
【０００３】
ところで、ゼオライトが放射性のセシウムを吸着することは、従来から良く知られており、例えば、ゼオライトを利用した放射性物質吸着具として、粒状に形成されたゼオライト粒を、その粒径よりも小さな多数の透孔を有する容器に充填したものが提案されている（特許文献１）。そして、最近では、ゼオライトを保持させたセシウム吸着シートも開発されている。
また、放射性のヨウ素を吸着するシートとして、シート状活性炭の両面に保護材を積層した吸着シートも提案されている（特許文献２）。
【先行技術文献】
【特許文献】
【０００４】
【特許文献１】実用新案登録第３１７０８７５号公報
【特許文献２】特開２００５−１４７６６７号公報
【発明の概要】
【発明が解決しようとする課題】
【０００５】
しかしながら、前記特許文献１の放射性物質吸着具は、食品や衣料品に付着した放射性物質を水で洗浄したときの再付着を抑制するために、水槽内に設置して使用するものであり、林野や草地の傾斜した地表面を流下する放射能汚染水を浄化して排水することは不可能である。
【０００６】
また、前記特許文献２のシート状活性炭の両面に保護材を積層した吸着シートや、前記ゼオライトを保持させた吸着シートは、放射性のヨウ素やセシウムを吸着する機能を備えているが、これらの吸着シートのみでは、林野や草地の傾斜した地表面を流下する放射能汚染水を浄化して排水することは、やはり不可能である。
【０００７】
このように、林野や草地の傾斜した地表面を流下する放射能汚染水を浄化排水する技術は未開発の状態であり、本出願人が先行技術調査をした限りでは、関連する先行技術を見つけることができなかった。
【０００８】
本発明は上記事情の下になされたもので、その解決しようとする課題は、林野や草地などの傾斜した地表面を流下する放射能汚染水の浄化排水構造を提供することにある。
【課題を解決するための手段】
【０００９】
上記課題を解決するため、第一の発明に係る放射能汚染水の浄化排水構造は、放射能汚染水が流下する傾斜地面の下流側箇所に、遮水兼排水材によって、該下流側箇所から立ち上がる立壁と該下流側箇所に埋められる底壁を一体に設け、立壁の傾斜地面側の側面から底壁の上面に亘って透水性のセシウム吸着シートを添設したことを特徴とするものである。
【００１０】
第一の発明に係る放射能汚染水の浄化排水構造においては、遮水兼排水材によって一体に設けられた立壁及び底壁とセシウム吸着シートとの間、又は／及び、セシウム吸着シートの傾斜地面側の側面から上面に亘って、合成樹脂製の不織布もしくはネットを設けることが好ましい。また、傾斜地面の下流側箇所に複数の杭を打ち込み、下流側箇所から立ち上がる立壁をこれらの杭に固定することが好ましい。遮水兼排水材としては、少なくとも片面に多数の凸部を形成した合成樹脂製のエンボスシートが好ましく使用され、セシウム吸着シートとしては、ゼオライト、ベントナイト、プルシアンブルーのいずれかを保持したシートが好ましく使用される。
【００１１】
また、第二の発明に係る放射能汚染水の浄化排水構造は、放射能汚染水が流下する傾斜地面の下流側箇所に、放射能汚染水の流下を遮断する遮水材を設け、遮水材の傾斜地面側に、透水性のセシウム吸着シートで被覆した排水材を埋設したことを特徴とするものである。
【００１２】
第二の発明に係る放射能汚染水の浄化排水構造においては、傾斜地面の下流側箇所に複数の杭を打ち込み、これらの杭に遮水材を固定することが好ましい。また、排水材としては、管壁に多数の流入部を有する排水管が好ましく使用され、セシウム吸着シートとしては、上記と同様にゼオライト、ベントナイト、プルシアンブルーのいずれかを保持したシートが好ましく使用される。
【発明の効果】
【００１３】
第一の発明に係る放射能汚染水の浄化排水構造によれば、傾斜地面を流下してきた放射能汚染水が、傾斜地面の下流側箇所において遮水兼排水材により一体に設けられた立壁と底壁とのコーナー部分の内側に一旦抱え込まれた状態で遮水される。そして、透水性のセシウム吸着シートを透過するときに、放射能汚染水に含まれる放射性セシウムがセシウム吸着シートに吸着されて除去され、浄化された水は遮水兼排水材で形成された主に底壁の上面側を立壁沿いに流れて排水される。従って、放射能汚染水が、遮水兼排水材で一体に設けられた立壁と底壁を越えて更に下流側へ流出することがないので、放射能汚染の拡大を抑えることができる。
【００１４】
また、第一の発明に係る浄化排水構造において、遮水兼排水材で一体に設けられた立壁及び底壁とセシウム吸着シートとの間、又は／及び、セシウム吸着シートの傾斜地面側の側面から上面に亘って、合成樹脂製の不織布もしくはネットを設けたものは、以下の作用効果を奏する。
即ち、遮水兼排水材で一体に形成された立壁及び底壁とセシウム吸着シートとの間に合成樹脂製の不織布もしくはネットを設けたものは、セシウム吸着シートが土圧で底壁や立壁に押し付けられないように合成樹脂製の不織布もしくはネットによって支えられるため、底壁や立壁の通水路となる空間が押し潰されることなく確保される。そのため、セシウム吸着シートを透過してセシウムが吸着除去された浄化水は、不織布もしくはネットを通過して、遮水兼排水材で形成された主に底壁の上面側の通水路となる空間を流れてスムーズに排水される。
また、セシウム吸着シートの傾斜地面側の側面から上面に亘って合成樹脂製の不織布もしくはネットを設けたものは、セシウム吸着シートが不織布もしくはネットによって被覆保護されるため、セシウム吸着シートが傾斜地面の下流側箇所における土砂との圧接、摩擦によって破損するのを防止することができる。
そして、立壁及び底壁とセシウム吸着シートとの間、及び、セシウム吸着シートの傾斜地面側の側面から上面に亘って、合成樹脂製の不織布もしくはネットをそれぞれ設けたものは、上述した双方の作用効果を併せて奏する。
【００１５】
第一の発明に係る浄化排水構造において、傾斜地面の下流側箇所に複数の杭を打ち込み、下流側箇所から立ち上がる立壁をこれらの杭に固定したものは、立壁の固定強度が大きいため、傾斜地面の下流側箇所の土圧や傾斜地面を流下する汚染水の水圧によって立壁と底壁が移動、流失することなく汚染水を確実に塞き止め、セシウム吸着シートでセシウムを吸着除去して浄化水を主に底壁の上面に沿って排水することができる。
【００１６】
そして、遮水兼排水材として、少なくとも片面に多数の凸部を形成した合成樹脂製のエンボスシートを使用したものは、エンボスシートそれ自体で確実に遮水しながら、少なくとも片面の凸部相互間の空間を通水路としてスムーズに排水することができ、しかも、エンボスシートの耐圧強度が大きいので、傾斜地面の下流側箇所の土圧や流下水の水圧でエンボスシートが破損する心配も解消される。
【００１７】
また、セシウム吸着シートとして、ゼオライト、ベントナイト、プルシアンブルーのいずれかを保持したシートを使用したものは、放射能汚染水が透過するときに、放射性セシウムがゼオライト、ベントナイト、プルシアンブルーのいずれかに吸着除去されて浄化される。特に、ゼオライトを保持したセシウム吸着シートは、ゼオライトの陽イオン交換優先順位の一位がセシウムであり、セシウムを一度吸着すると離脱することがないので、ゼオライトが構造破壊されない限りセシウムを永久に保持して、セシウムによる汚染拡大を阻止することができる。
【００１８】
次に、第二の発明に係る放射能汚染水の浄化排水構造によれば、傾斜地面を流下してきた放射能汚染水が、傾斜地面の下流側箇所に設けられた遮水材によって遮水され、遮水材の傾斜地面側に埋設された排水材を被覆するセシウム吸着シートを透過するときに、放射能汚染水に含まれている放射性セシウムがセシウム吸着シートに吸着されて除去され、浄化された水は排水材を通って排水される。従って、放射能汚染水が傾斜地面の下流側箇所に設けられた遮水材を越えて更に下流側へ流出することはないので、放射能汚染の拡大を抑えることができる。
【００１９】
そして、第二の発明に係る浄化排水構造において、傾斜地面の下流側箇所に複数の杭を打ち込み、これらの杭に遮水材を固定したものは、遮水材の固定強度が大きいため、傾斜地面の下流側箇所の土圧や傾斜地面を流下する汚染水の水圧によって遮水材が移動、流失することなく汚染水を確実に塞き止めることができる。また、排水材として、管壁に多数の流入部を有する排水管を使用したものは、該排水管を被覆するセシウム吸着シートによって放射性セシウムが吸着除去された浄化水が、該排水管の流入部から管内に流入してスムーズに排水される。
なお、第二の発明に係る浄化排水構造において、セシウム吸着シートとしてゼオライト、ベントナイト、プルシアンブルーのいずれかを保持したシートを使用したものは、前記と同様の作用効果が得られる。
【図面の簡単な説明】
【００２０】
【図１】第一の発明に係る放射能汚染水の浄化排水構造の一実施形態を示す斜視図である。
【図２】同実施形態の浄化排水構造の断面図である。
【図３】同実施形態の浄化排水構造に用いる遮水兼排水材の部分断面図である。
【図４】遮水兼排水材の他の例を示す部分斜視図である。
【図５】遮水兼排水材の更に他の例を示す部分斜視図である。
【図６】同実施形態の浄化排水構造の施工手順を説明する説明図である。
【図７】第一の発明に係る放射能汚染水の浄化排水構造の他の実施形態を示す断面図である。
【図８】第二の発明に係る放射能汚染水の浄化排水構造の一実施形態を示す斜視図である。
【発明を実施するための形態】
【００２１】
以下、図面を参照して、本発明に係る放射能汚染水の浄化排水構造の実施形態を説明する。
【００２２】
図１は第一の発明に係る放射能汚染水の浄化排水構造の一実施形態を示す斜視図、図２は同実施形態の浄化排水構造の断面図、図３は同実施形態の浄化排水構造に用いる遮水兼排水材の部分断面図、図４は遮水兼排水材の他の例を示す部分斜視図、図５は遮水兼排水材の更に他の例を示す部分斜視図、図６は同実施形態の浄化排水構造の施工手順を説明する説明図である。
【００２３】
図１，図２において、１は放射能汚染水が流下する傾斜地面を示しており、この傾斜地面１は林野や草地などにおける自然の傾斜地面であってもよいし、人工的に造成された法面などの傾斜地面であってもよい。この傾斜地面（法面）１の下流側箇所（法尻）１ａには、図２に示すように、遮水兼排水材２によって、下流側箇所１ａから立ち上がる立壁２ａと、下流側箇所１ａに埋められる底壁２ｂとが一体に設けられている。
【００２４】
この実施形態の浄化排水構造では、遮水兼排水材２として、図３に示すように両面に多数の凸部２ｃを交互に突き出して形成した合成樹脂製のエンボスシート２が使用されている。このエンボスシート２は、シートそれ自体で遮水する機能と、隣り合う凸部２ｃ，２ｃ相互間の連続した空間を通水路として排水する機能を併せ持つものである。好ましいエンボスシートとしては、見掛けの厚さＴ（片面側の凸部２ｃの先端から反対面側の凸部２ｃの先端までの寸法）が５〜５０ｍｍ程度、より好ましくは８〜２０ｍｍ程度で、耐圧強度、耐薬品性、耐久性などに優れた高密度ポリエチレン製のエンボスシートが挙げられる。
【００２５】
前記の立壁２ａと底壁２ｂは、遮水兼排水材２である上記エンボスシートを幅方向の略中間部で略直角に折り曲げることによって切れ目なく一体に形成されており、底壁２ｂがその長さ方向に適度の流れ勾配を持つように傾斜地面（法面）１の下流側箇所（法尻）１ａに埋設されている。そして、立壁２ａは、その下部が傾斜地面１の下流側箇所１ａに埋入された状態で、下流側箇所１ａから略垂直に立ち上がり、下流側箇所１ａに打ち込まれた複数の杭３に固定具（不図示）で固定されている。このように立壁２ａが杭３に固定されると、立壁２ａの固定強度が大きくなるため、傾斜地面１の下流側箇所１ａの土圧や傾斜地面１を流下する放射能汚染水の水圧によって立壁２ａと底壁２ｂが移動、流失することなく汚染水を確実に塞き止めて排水することができる。
【００２６】
前記の遮水兼排水材２としては、両面に多数の凸部２ｃが交互に突き出して形成された上記のエンボスシートの他に、片面に多数の凸部が形成された合成樹脂製のエンボスシート（不図示）も使用される。後者のエンボスシートも、シートそれ自体で遮水する機能と、片面から突き出した凸部相互間の連続する空間を通水路として排水する排水機能を併せ持つからである。
また、図４に示すように、片面に多数の凸条２０ｃを平行に形成した合成樹脂製のプレート２０や、両面に多数の凸条を平行に形成した合成樹脂製のプレート（不図示）も、プレート２０それ自体で遮水する機能と、凸条２０ｃ，２０ｃ相互間の溝状空間を通水路として排水する機能を併せ持つので、遮水兼排水材２として使用することができる。そして、図５に示すように、山部２１ａと谷部２１ｂを交互に連成した合成樹脂製の波板２１も、波板２１それ自体で遮水する機能と、谷部２１ｂを通水路として排水する機能を併せ持つので、遮水兼排水材２として使用することができる。
【００２７】
前記の杭３としては、例えば、高密度ポリエチレンなどの合成樹脂で被覆した被覆鋼管杭が好ましく使用される。この杭３と杭３の間隔（ピッチ）は特に限定されないが、遮水兼排水材２で形成された立壁２ａの支持強度等を考慮すれば、１ｍ程度に設定することが好ましい。また、立壁２ａを杭３に固定する固定具としては、引張強度の大きい合成樹脂製の結束バンドなどが好ましく使用される。
【００２８】
図２に示すように、遮水兼排水材２で形成された立壁２ａの傾斜地面１側の側面から底壁２ｂの上面に亘って、透水性のセシウム吸着シート４が添設されており、このセシウム吸着シート４と立壁２ａ及び底壁２ｂとの間には、合成樹脂製の不織布もしくはネット５が設けられている。
【００２９】
セシウム吸着シート４は、傾斜地面（法面）１を流下してきた放射能汚染水が該シートを透過するときに、汚染水に含まれている放射性セシウムを吸着、除去して浄化するものであり、放射性セシウムを吸着する能力が高いゼオライト、ベントナイト、プルシアンブルーのいずれかを保持した透水性のシートが好ましく使用される。具体的には、近年、開発された、天然ゼオライトをパルプ繊維に漉き込んだゼオライト含有率が２５０ｇ／ｍ２程度の紙シートや、ゼオライトを樹脂化して塗布した不織布や、ベントナイトを挟んだ紙シートや、プルシアンブルーで着色した綿布や、プルシアンブルーを練り込んだ樹脂製不織布などが使用される。特にゼオライトを保持したセシウム吸着シートは、ゼオライトの陽イオン交換優先順位の一位がセシウムであり、セシウムを一度吸着するとゼオライトが構造破壊されない限りセシウムを永久に保持して汚染拡大を阻止するので、極めて有効である。
【００３０】
また、立壁２ａ及び底壁２ｂとセシウム吸着シート４との間に設けられる合成樹脂製の不織布もしくはネット５は、セシウム吸着シート４が傾斜地面１の下流側箇所１ａの土圧で底壁２ｂや立壁２ａに押し付けられて底壁２ｂや立壁２ａの通水路となる空間を押し潰すことがないように、セシウム吸着シート４を支持する役目を果たすものであって、引張強度が大きく伸び変形が少ない合成樹脂製の所謂スパンボンド不織布や、耐圧強度や剛性が大きい合成樹脂製の不編ネット（角目、菱目、亀甲目などを有する不編ネット）などが好ましく使用される。
【００３１】
合成樹脂製の不織布もしくはネット５は、図７に示すように、セシウム吸着シート４の立ち上がり部分の傾斜地面１側の側面からセシウム吸着シート４の水平部分の上面に亘って設けてもよく、その場合は、セシウム吸着シート４が不織布もしくはネット５によって被覆保護されるため、セシウム吸着シート４が傾斜地面１の下流側箇所１ａにおける土砂との圧接、摩擦によって破損するのを防止することができる。
【００３２】
また、合成樹脂製の不織布もしくはネット５は、立壁２ａ及び底壁２ｂとセシウム吸着シート４との間、及び、セシウム吸着シート４の傾斜地面側の側面から上面に亘って設けてもよく、その場合は、上述した双方の作用効果が奏されることになる。
【００３３】
遮水兼排水材２で一体に形成された立壁２ａ及び底壁２ｂの長さ方向の途中箇所には、図１，図２に示すように、検知桝６に通じる排水管７ａが接続されており、傾斜地面（法面）１の下流側箇所（法尻）１ａに沿って設けられたＵ字溝８の途中の会所桝９と上記の検知桝６は、排水管７ｂで接続されている。
【００３４】
以上のような放射能汚染水の浄化排水構造によれば、傾斜地面（法面）１を流下してきた放射能汚染水が、傾斜地面１の下流側箇所（法尻）１ａにおいて遮水兼排水材２のエンボスシートにより一体に設けられた立壁２ａと底壁２ｂとのコーナー部分の内側に一旦抱え込まれた状態で遮水される。そして、遮水された放射能汚染水が透水性のセシウム吸着シート４を透過するときに、放射能汚染水に含まれる放射性セシウムがセシウム吸着シート４に吸着されて除去され、浄化された水は不織布若しくはネット５を通過し、主に底壁２ｂの上面側の凸部２ｃ，２ｃ相互間の空間を通水路として立壁２ａ沿いに流れて排水される。そして、この水は、途中箇所に接続された排水管７ａを通って検知桝６へ流入し、更に排水管７ｂを通って会所桝９に流入した後、Ｕ字溝８を流れて排水される。このように、本発明の浄化排水構造は、傾斜地面１を流下する放射能汚染水に含まれている放射性セシウムを吸着、除去して浄化した水を排水することができ、放射能汚染水が傾斜地面１の下流側箇所１ａを越えて更に下流側へ流出するのを阻止できるので、放射能汚染の拡大を十分に抑えることができる。また、検知桝６が設置されているので、検知桝６に流入した水のセシウム濃度や放射線量を調べることによって、放射性セシウムの吸着、除去が順調に行われているかどうかを容易にチェックすることもできる。
【００３５】
上記の放射能汚染水の浄化排水構造は、次の方法で作業性良く施工することができる。
先ず、図６（ａ）に示すように、傾斜地面（法面）１の下流側箇所（法尻）１ａを約３００ｍｍ程度の幅で掘削して掘削部１ｂを設ける。
次いで、図６（ｂ）に示すように、掘削部１ｂの外縁に複数本の杭３を打ち込むと共に、遮水兼排水材（エンボスシート）２を略直角に折り曲げて一体に形成した立壁２ａと底壁２ｂを掘削部１ｂに設置して、立壁２ａを杭３に固定具（不図示）で固定し、立壁２ａの傾斜地面１側の側面から底壁２ｂの上面に亘って、合成樹脂製の不織布もしくはネット５とセシウム吸着シート４を重ねて設ける。
そして、図６（ｃ）に示すように、下流側箇所（法尻）１ａの掘削部１ｂに掘削土を埋め戻し、最終的に前記の検知桝（不図示）を設置して前記の排水管（不図示）で遮水兼排水材２と前記のＵ字溝の会所桝（不図示）とに接続して施工を完了する。
【００３６】
図８は第二の発明に係る放射能汚染水の浄化排水構造の一実施形態を示す斜視図である。
【００３７】
この浄化排水構造は、放射能汚染水が流下する傾斜地面（法面）１の下流側箇所（法尻）１ａに、放射能汚染水の流下を遮断するＬ形に屈曲した遮水材１０を設けて、遮水材１０の立ち上がり部１０ａの下部と水平部１０ｂを下流側箇所１ａに埋め込むと共に、複数本の杭３を下流側箇所１ａに打ち込んで、遮水材１０の立ち上がり部１０ａを固定具（不図示）で杭３に固定し、遮水材１０の立ち上がり部１０ａよりも傾斜地面１側で且つ遮水材１０の水平部１０ｂの上側に、透水性のセシウム吸着シート４で被覆された管状の排水材１１を埋設したものである。
【００３８】
遮水材１０としては、Ｌ形に屈曲した合成樹脂板などが使用され、また、管状の排水材１１としては、管壁に多数の流入部１１ａを有する排水管、例えば、管壁に多数の流入孔を有する合成樹脂製の多孔排水管や、多数の網目（流入部）を有する合成樹脂製の網筒体からなる排水管などが使用される。
なお、杭３やセシウム吸着シート４については、前記と同じものが使用されるので、説明を省略する。
【００３９】
このような放射能汚染水の浄化排水構造によれば、傾斜地面１を流下してきた放射能汚染水が、傾斜地面１の下流側箇所１ａに設けられた遮水材１０によって一旦抱え込まれた状態で遮水され、この放射能汚染水が排水材１１を被覆するセシウム吸着シート４を透過するときに、放射能汚染水に含まれている放射性セシウムがセシウム吸着シート４に吸着されて除去され、浄化された水は管状の排水材１１の流入部１１ａから排水材１１の内部に流入して排水される。従って、この浄化排水構造も、放射能汚染水が傾斜地面１の下流側箇所１ａに設けられた遮水材１１を越えて更に下流側へ流出することはないので、放射能汚染の拡大を抑えることができる。
【００４０】
なお、図示はしていないが、この浄化排水構造においても、前記の検知桝６が設置され、前記の排水管７ａ，７ｂによって、排水材１１とＵ字溝８の会所桝９に接続されることは言うまでもない。また、図示はしていないが、管状の排水材１１とセシウム吸着シート４との間、又は／及び、セシウム吸着シート４の外周面に、前述の合成樹脂製の不織布もしくはネット５を設けるようにしても勿論よい。
【符号の説明】
【００４１】
１    傾斜地面（法面）
１ａ  傾斜地面の下流側箇所（法尻）
２    遮水兼排水材（エンボスシート）
２ａ  立壁
２ｂ  底壁
２ｃ  凸部
３    杭
４    セシウム吸着シート
５    合成樹脂製の不織布もしくはネット
６    検知桝
１０  遮水材
１１  排水材
１１ａ  流入部
【図１】
2014071086.tif 000003
【図２】
2014071086.tif 000004
【図３】
2014071086.tif 000005
【図４】
2014071086.tif 000006
【図５】
2014071086.tif 000007
【図６】
2014071086.tif 000008
【図７】
2014071086.tif 000009
【図８】
2014071086.tif 000010